(57)【要約】  【課題】簡単な構成でかつマルチパスノイズ除去性能に優れ、瞬時に受信状態のよいアンテナを選択することが可能なダイバーシティ受信機を提供する。  【解決手段】アンテナからの受信信号はアンテナ切替回路１、フロントエンド２、Ａ／Ｄ変換回路３を介して中間周波増幅回路４に入力され、Ｓメータ回路５からのＳメータ信号がノイズ検出用フィルタ６、絶対値回路７を介して制御部８に入力される。そして、制御部８は絶対値回路７からのノイズ成分（ＭＰ量）を閾値設定部９からの閾値Ｖthと比較し、閾値Ｖthより大きくなったとき、アンテナ選択制御信号をアンテナ切替回路１に出力してアンテナを切り替える。このとき、制御部８が閾値設定部９の閾値Ｖthをアンテナ切替え前のＭＰ量に設定するので、頻繁なアンテナ切替えを防止するとともに、瞬時に受信状態の良いアンテナを選択することができる。  【選択図】図１
2006287845.tif 000002
【特許請求の範囲】
【請求項１】
複数のアンテナに発生する受信信号の１つを切替え選択して出力する切替手段と、前記切替手段からの受信信号に含まれるノイズ量を検出するノイズ検出手段と、前記ノイズ検出手段より出力されるノイズ量と閾値とを比較することにより前記切替手段を制御する制御手段とを備えるダイバーシティ受信機であって、
前記制御手段が、前記切替手段に対してアンテナの切替え制御を行った際、前記閾値をアンテナ切替え前のノイズ量に設定することを特徴とするダイバーシティ受信機。
【請求項２】
複数のアンテナに発生する受信信号の１つを切替え選択して出力する切替手段と、前記切替手段からの受信信号に含まれるノイズ量を検出するノイズ検出手段と、前記ノイズ検出手段より出力されるノイズ量と閾値とを比較することにより前記切替手段を制御する制御手段とを備えるダイバーシティ受信機であって、
前記制御手段が、前記切替手段に対してアンテナの切替え制御を行った際、前記閾値をアンテナ切替え前のノイズ量を補正した値に設定することを特徴とするダイバーシティ受信機。
【請求項３】
請求項１または請求項２に記載されたダイバーシティ受信機において、
前記制御手段が、前記切替手段に対してアンテナの切替え制御を行った後、一定時間アンテナ切替えを行わないことを特徴とするダイバーシティ受信機。
【請求項４】
請求項１〜請求項３のいずれかに記載されたダイバーシティ受信機において、
初期閾値より最初に閾値が変更されたアンテナ切替えから所定の時間が経過したとき、前記制御手段が、閾値を初期閾値にリセットすることを特徴とするダイバーシティ受信機。
【請求項５】
請求項１〜請求項３のいずれかに記載されたダイバーシティ受信機において、
閾値が最後に更新されたアンテナ切替えから所定の時間が経過したとき、前記制御手段が、閾値を初期閾値にリセットすることを特徴とするダイバーシティ受信機。
【請求項６】
請求項１〜請求項５のいずれかに記載されたダイバーシティ受信機において、
受信信号が入力されるノイズキャンセラ手段を備え、前記制御手段が、前記切替手段に対してアンテナの切替え制御を行った際、前記ノイズキャンセラ手段にノイズキャンセル用トリガ信号を出力することにより、アンテナ切替えに伴うノイズを除去することを特徴とするダイバーシティ受信機。
【請求項７】
入力信号に含まれるノイズ量を検出するノイズ検出手段と、前記ノイズ検出手段より出力されるノイズ量と閾値とを比較することにより切替信号を出力する制御手段とを備える信号処理回路であって、
前記制御手段が、前記切替信号を出力した際、前記閾値を切替信号出力前のノイズ量に設定することを特徴とする信号処理回路。
【発明の詳細な説明】
【技術分野】
【０００１】
本発明は、複数のアンテナを有し、受信状態が最適なアンテナを選択するダイバーシティ受信機及びこの受信機に使用する信号処理回路に関する。
【背景技術】
【０００２】
従来、車両用のＴＶチューナやラジオチューナでは、車両の移動に伴って、常に受信電波の状態が変化する為、常に最良の電波を受信する目的で、複数のアンテナを備えたダイバーシティ受信機を使用し、受信信号に含まれるマルチパスノイズ量が閾値を越えた場合、アンテナを切り替えるようにしている。
【０００３】
このようなダイバーシティ受信機のアンテナ切替の際には、煩雑な切替えを防止し、電波状況の良いアンテナを選択するために感度可変方式が採用されている。
すなわち、アンテナＡ、アンテナＢのノイズ発生状況が図１０（ａ）、（ｂ）に示すようにマルチパスノイズ量が大きい場合、図１０（ｃ）に示すように、ノイズ量がアンテナ切替感度（閾値）Ｖthを超えるたびにアンテナＡとアンテナＢが切り替えられるが、この切替のたびに、アンテナ切替感度をノイズ量等に応じて徐々に低下（閾値を増大）させるようにしている（例えば、特許文献１参照。）。
【特許文献１】特開２００３−６０５３９号公報
【０００４】
つまり、常にアンテナを切替えるような状況は、ノイズ成分に対して閾値Ｖthのレベルが低すぎる、すなわち、比較器のノイズ検出感度が高すぎることに起因して起こるので、閾値Ｖthを上昇させることによって比較器のノイズ検出感度を適正な感度に低下させ、アンテナ切替制御部による頻繁なアンテナ切替えが起こらないようにしている。
【０００５】
図１１は従来のダイバーシティ受信機の構成を示す図であり、このダイバーシティ受信機において、アンテナANT1、ANT2が到来電波を受信するに際して生じる高周波受信信号をアンテナ切替回路２１が個々に切替え選択し、切替え選択された１つのアンテナからの高周波受信信号がフロントエンド２２を介して中間周波増幅回路２３に入力される。
そして、中間周波増幅回路２３から出力される中間周波信号がオーディオアンプ等を備えた出力回路（図示せず）に供給されるとともに、電界強度を検出するＳメータ回路２４にも供給され、このＳメータ回路２４からの電界強度信号がノイズ検出用フィルタ２５に入力されてノイズ成分が検出される。
【０００６】
このノイズ成分は、ノイズＡＧＣ回路２６を介して比較回路２７に入力されて閾値Ｖthと比較され、ノイズＡＧＣ回路２６の出力が閾値Ｖthより大きくなったとき、比較回路２７が信号を選択信号出力回路２８に出力し、選択信号出力回路２８がアンテナ切替回路２１によりアンテナを切り替える。このとき、ノイズＡＧＣ回路２６は、ノイズ検出頻度が高くなったとき、ゲインを下げることにより、比較回路２７のノイズ検出感度を適正な感度に低下させ、頻繁なアンテナ切替えが起こらないように制御する。
【発明の開示】
【発明が解決しようとする課題】
【０００７】
上記のように、従来のダイバーシティ受信機は、選択されたアンテナが受信する放送電波に含まれるノイズ成分を検出し、そのノイズ検出結果に基づいて受信状態の良否を判断してアンテナを切り替えるが、受信状態が良好でなく全てのアンテナを切替えることとなった場合には、過度のアンテナ切替えを防止するため、ノイズ検出感度をより適切な低い感度に低下させるようにしている。
しかしながら、このように徐々に感度を低下させる方式では、例えば、ＡＧＣ回路による時定数を持ってアンテナ切替感度を可変させるため、無駄なアンテナ切替えが発生し、瞬時に受信状態の良いアンテナを選択することができない。
【０００８】
本発明は、上記の問題に鑑みてなされたもので、簡単な構成でかつマルチパスノイズ除去性能に優れ、瞬時に受信状態のよいアンテナを選択することが可能なダイバーシティ受信機を提供することを目的とする。
【課題を解決するための手段】
【０００９】
上述の目的を達成するため、本発明に係るダイバーシティ受信機（１）は、
複数のアンテナに発生する受信信号の１つを切替え選択して出力する切替手段と、前記切替手段からの受信信号に含まれるノイズ量を検出するノイズ検出手段と、前記ノイズ検出手段より出力されるノイズ量と閾値とを比較することにより前記切替手段を制御する制御手段とを備えるダイバーシティ受信機であって、
前記制御手段が、前記切替手段に対してアンテナの切替え制御を行った際、前記閾値をアンテナ切替え前のノイズ量に設定することを特徴とする。
【００１０】
また、本発明に係るダイバーシティ受信機（２）は、
複数のアンテナに発生する受信信号の１つを切替え選択して出力する切替手段と、前記切替手段からの受信信号に含まれるノイズ量を検出するノイズ検出手段と、前記ノイズ検出手段より出力されるノイズ量と閾値とを比較することにより前記切替手段を制御する制御手段とを備えるダイバーシティ受信機であって、
前記制御手段が、前記切替手段に対してアンテナの切替え制御を行った際、前記閾値をアンテナ切替え前のノイズ量を補正した値に設定することを特徴とする。
【００１１】
さらに、本発明に係るダイバーシティ受信機（３）は、ダイバーシティ受信機（１）または（２）において、
前記制御手段が、前記切替手段に対してアンテナの切替え制御を行った後、一定時間アンテナ切替えを行わないことを特徴とし、
本発明に係るダイバーシティ受信機（４）は、ダイバーシティ受信機（１）〜（３）のいずれかにおいて、
初期閾値より最初に閾値が変更されたアンテナ切替えから所定の時間が経過したとき、前記制御手段が、閾値を初期閾値にリセットすることを特徴とする。
【００１２】
また、本発明に係るダイバーシティ受信機（５）は、ダイバーシティ受信機（１）〜（３）のいずれかにおいて、
閾値が最後に更新されたアンテナ切替えから所定の時間が経過したとき、前記制御手段が、閾値を初期閾値にリセットすることを特徴とし、
本発明に係るダイバーシティ受信機（６）は、ダイバーシティ受信機（１）〜（５）のいずれかにおいて、
受信信号が入力されるノイズキャンセラ手段を備え、前記制御手段が、前記切替手段に対してアンテナの切替え制御を行った際、前記ノイズキャンセラ手段にノイズキャンセル用トリガ信号を出力することにより、アンテナ切替えに伴うノイズを除去することを特徴とする。
【００１３】
さらに、本発明に係る信号処理回路（１）は、
入力信号に含まれるノイズ量を検出するノイズ検出手段と、前記ノイズ検出手段より出力されるノイズ量と閾値とを比較することにより切替信号を出力する制御手段とを備える信号処理回路であって、
前記制御手段が、前記切替信号を出力した際、前記閾値を切替信号出力前のノイズ量に設定することを特徴とする。
【発明の効果】
【００１４】
本発明に係るダイバーシティ受信機（１）によれば、アンテナ切替え時に閾値がアンテナ切替え前のマルチパスノイズ量に設定されるので、頻繁なアンテナ切替えを防止するとともに、瞬時に受信状態の良いアンテナを選択することができる。
また、本発明に係るダイバーシティ受信機（２）によれば、アンテナの切替え時に、閾値がアンテナ切替え前のノイズ量を補正した値に設定されるので、例えば、ノイズ量より大きい値に補正することにより、さらに、アンテナ切替頻度を少なくすることが可能である。
【００１５】
さらに、本発明に係るダイバーシティ受信機（３）によれば、アンテナの切替え制御を行った後、一定時間アンテナ切替えが行われないので、すべてのアンテナに同時に大きなマルチパスノイズが混在している場合などに、無駄なアンテナ切替えを防止することができる。
【００１６】
また、本発明に係るダイバーシティ受信機（４）、（５）によれば、初期閾値より最初に閾値が変更されたアンテナ切替えから所定の時間、または、  閾値が最後に更新されたアンテナ切替えから所定の時間が経過すると、閾値が初期閾値にリセットされるので、閾値として設定されたノイズ量が大きく、アンテナが切り替わらなくなるような事態を防止することができる。
さらに、本発明に係るダイバーシティ受信機（６）によれば、アンテナの切替え時に、ノイズキャンセラ手段にノイズキャンセル用トリガ信号が出力されるので、アンテナ切替えに伴うノイズを確実に除去することが可能となる。
【００１７】
また、本発明に係る信号処理回路（１）によれば、切替信号を出力した際、閾値が切替信号出力前のノイズ量に設定されるので、この信号処理回路をダイバーシティ受信機に用いることにより、頻繁なアンテナ切替えを防止するとともに、瞬時に受信状態の良いアンテナを選択することができるダイバーシティ受信機とすることができる。
【実施例１】
【００１８】
以下、本発明のダイバーシティ受信機の実施例について説明するが、最近は、アナログ受信機がデジタル受信機に置き換えられるようになってきているので、デジタル方式のダイバーシティ受信機に適用した実施例について説明する。
図１は本発明のダイバーシティ受信機の構成を示すブロック図であり、図に示すように、アンテナ切替回路１、フロントエンド２、Ａ／Ｄ変換回路３、中間周波増幅回路４、Ｓメータ回路５、ノイズ検出用フィルタ６、絶対値回路７、制御部８、閾値設定部９、選択信号出力回路１０から構成されている。
【００１９】
アンテナ切替回路１はアンテナANT1、ANT2を切り替える切替スイッチよりなり、フロントエンド２は、アンテナ切替回路１を介して任意のアンテナから受信した信号から希望局を選択して中間周波数信号に変換する。また、Ａ／Ｄ変換回路３はフロントエンド２からの中間周波数信号をＡ／Ｄ変換して中間周波増幅回路４に入力し、中間周波増幅回路４はデジタル的に中間周波数信号を増幅してオーディオアンプ等を備えた出力回路（図示せず）に供給するとともに、Ｓメータ回路５に供給する。
【００２０】
Ｓメータ回路５は受信電界レベルを示すＳメータ信号をノイズ検出用フィルタ６に入力し、デジタルフィルタであるノイズ検出用フィルタ６は、マルチパスノイズ成分を検出して絶対値回路７に入力し、絶対値回路７からノイズ成分の絶対値が制御部８に入力される。
また、制御部８は絶対値回路７からのマルチパスノイズ成分の平均値またはピーク値を閾値設定部９からの閾値Ｖthと比較することによりアンテナの切替えを実行するか否かを決定する。なお、この制御部８は、ＣＰＵ、ＲＯＭ、ＲＡＭ等により構成され、ソフトウェアにより機能を実行するものである。
【００２１】
閾値設定部９には初期閾値が予め設定されているが、この閾値は制御部８からの指令により変更可能となっている。また、選択信号出力回路１０は制御部８からのアンテナ切替指令によってアンテナ切替回路１の切替スイッチを切り替えることによりアンテナを切り替える。
【００２２】
次に、電波状況に応じてアンテナを切り替える際の制御部８の作用を図２のフローチャートにより説明する。
制御部８は、常時、図２のフローチャートに示すアンテナ切替プログラムを実行しており、このプログラムを開始すると、まず、絶対値回路７からのマルチパスノイズ成分の平均値またはピーク値（ＭＰ量）を閾値設定部９からの閾値Ｖth（プログラム開始当初は初期閾値）と比較することにより、ＭＰ量が閾値Ｖthより大きいか否かを判定し（ステップ１０１）、ＭＰ量が閾値Ｖthより小さいと判定した場合、現アンテナを継続して使用し（ステップ１０２）、ステップ１０１に戻って再びＭＰ量が閾値Ｖthより大きいか否かを判定する。
【００２３】
一方、ステップ１０１でＭＰ量が閾値Ｖthより大きいと判定した場合、制御部８は、ＭＰ量をメモリ（図示せず）に記憶した（ステップ１０３）後、アンテナ切替指令を選択信号出力回路１０に出力して、アンテナを切り替える（ステップ１０４）。これにより、選択信号出力回路１０からアンテナ選択制御信号がアンテナ切替回路１に出力されてアンテナが切り替えられる。
次に、制御部８はメモリに記憶したＭＰ量を閾値設定部９に入力することにより、閾値設定部９に設定されている閾値Ｖthを記憶したＭＰ量に設定するので、これ以降、検出されたＭＰ量がアンテナ切替え前のＭＰ量と比較される。
【００２４】
以上のように、アンテナ切替え時に閾値がアンテナ切替え前のマルチパスノイズ量に設定されるので、頻繁なアンテナ切替えを防止するとともに、瞬時に受信状態の良いアンテナを選択することが可能となる。
【実施例２】
【００２５】
上記の実施例では、アンテナ切替え時に閾値をアンテナ切替え前のマルチパスノイズ量に設定したが、アンテナを切り替えても、大きなマルチパスノイズ量が定常的に発生するような場合、アンテナ切替頻度が多くなるので、これを防止するため、アンテナ切替え時に閾値をアンテナ切替え前のマルチパスノイズ量を補正した値に設定することもでき、以下、閾値をアンテナ切替え前のマルチパスノイズ量を補正した値に設定する際の制御部８の作用を図３のフローチャートにより説明する。
なお、ダイバーシティ受信機の構成は図１と同じであるので、説明を省略する。
【００２６】
制御部８は、常時、図３のフローチャートに示すアンテナ切替プログラムを実行しており、このプログラムを開始すると、上記と同様に、絶対値回路７からのマルチパスノイズ成分（ＭＰ量）を閾値設定部９からの閾値Ｖthと比較することにより、ＭＰ量が閾値Ｖthより大きいか否かを判定し（ステップ２０１）、ＭＰ量が閾値Ｖthより小さいと判定した場合、現アンテナを継続して使用し（ステップ２０２）、ステップ２０１に戻って再びＭＰ量が閾値Ｖthより大きいか否かを判定する。
【００２７】
一方、ステップ２０１でＭＰ量が閾値Ｖthより大きいと判定した場合、制御部８は、ＭＰ量をメモリに記憶した（ステップ２０３）後、アンテナ切替指令を選択信号出力回路１０に出力して、アンテナを切り替える（ステップ２０４）。次に、制御部８はメモリに記憶したＭＰ量よりＭＰ量×Ａ＋Ｂ（Ａ、Ｂは定数）を演算し、演算した値を閾値設定部９に入力することにより閾値Ｖthとして設定する（ステップ２０５）。
【００２８】
以上のように、アンテナの切替え時に、閾値をアンテナ切替え前のノイズ量を補正した値、例えば、アンテナ切替え前のノイズ量より大きい値に設定することにより、さらに、アンテナ切替頻度を少なくすることができる。
【実施例３】
【００２９】
また、両方のアンテナに同時に大きなマルチパスノイズが混在している場合などには、無駄なアンテナ切替えが発生するので、アンテナの切替え制御を行った場合、一定時間アンテナ切替えを行わないようにするのが好ましく、以下、アンテナの切替え制御を行った場合、一定時間アンテナを切り替えないようにした場合の制御部８の作用を図４のフローチャートにより説明する。
なお、上記と同様に、ダイバーシティ受信機の構成は図１と同じであるので、説明を省略する。
【００３０】
制御部８は、常時、図４のフローチャートに示すアンテナ切替プログラムを実行しており、このプログラムを開始すると、まず、前回のアンテナ切替えからＴ１秒、例えば、１ｍｓ経過したか否かを判定し（ステップ３０１）、前回のアンテナ切替えから１ｍｓ経過していないと判定した場合、現アンテナを継続して使用し（ステップ３０２）、ステップ３０１に戻って再び前回のアンテナ切替えからＴ１秒経過したか否かを判定する。
【００３１】
一方、前回のアンテナ切替えからＴ１秒経過したと判定した場合、制御部８は、絶対値回路７からのマルチパスノイズ成分（ＭＰ量）を閾値設定部９からの閾値Ｖthと比較することにより、ＭＰ量が閾値Ｖthより大きいか否かを判定する（ステップ３０３）が、以降の作用は図２のフローチャートのステップ１０１以降の作用と同じであるので、説明を省略する。
【００３２】
以上のように、アンテナの切替え制御を行った後、一定時間アンテナ切替えを行わないようにすることにより、両方のアンテナに同時に大きなマルチパスノイズが混在している場合などに、無駄なアンテナ切替えを防止することが可能となる。
【実施例４】
【００３３】
さらに、アンテナ切替え前のノイズ量が大きく、閾値が大きくなりすぎた場合には、アンテナが切り替わらなくなるので、アンテナ切替えから所定の時間が経過したとき、閾値を初期閾値にリセットすることが好ましく、以下、アンテナ切替えから所定の時間が経過したとき、閾値を初期閾値にリセットする場合の、制御部８の作用を説明する。
なお、上記と同様に、ダイバーシティ受信機の構成は図１と同じであるので、説明を省略する。
【００３４】
図５は、初期閾値より最初に閾値が変更されたアンテナ切替えから所定の時間が経過した場合に、閾値を初期閾値にリセットする場合の制御部８の作用を示すフローチャートである。
制御部８は、常時、図５のフローチャートに示すアンテナ切替プログラムを実行しており、このプログラムを開始すると、まず、閾値設定部９の閾値Ｖthが初期閾値より最初に更新されたアンテナ切替えからＴ２秒、例えば、１００ｍｓ経過したか否かを判定し（ステップ４０１）、前回のアンテナ切替えから１００ｍｓ経過していないと判定した場合、絶対値回路７からのマルチパスノイズ成分（ＭＰ量）を閾値設定部９からの閾値Ｖthと比較することにより、ＭＰ量が閾値Ｖthより大きいか否かを判定する（ステップ４０２）が、以降の作用は図２のフローチャートのステップ１０１以降の作用と同じであるので、説明を省略する。
【００３５】
一方、ステップ４０１で閾値設定部９の閾値Ｖthが初期閾値より最初に更新されたアンテナ切替えからＴ２秒経過したと判定した場合、制御部８は閾値設定部９の閾値Ｖthを初期閾値にリセットした（ステップ４０７）後、マルチパスノイズ成分（ＭＰ量）を閾値設定部９からの閾値Ｖthと比較する（ステップ４０２）。
【００３６】
また、図６は、最後に閾値が更新されたアンテナ切替えから所定の時間が経過した場合に、閾値を初期閾値にリセットする場合の制御部８の作用を示すフローチャートである。
制御部８は、常時、図６のフローチャートに示すアンテナ切替プログラムを実行しており、このプログラムを開始すると、まず、閾値設定部９の閾値Ｖthが最後に更新されたアンテナ切替えからＴ３秒、例えば、２０ｍｓ経過したか否かを判定し（ステップ５０１）、最後のアンテナ切替えから２０ｍｓ経過していないと判定した場合、絶対値回路７からのマルチパスノイズ成分（ＭＰ量）を閾値設定部９からの閾値Ｖthと比較することにより、ＭＰ量が閾値Ｖthより大きいか否かを判定する（ステップ５０２）が、以降の作用は図２のフローチャートのステップ１０１以降の作用と同じであるので、説明を省略する。
【００３７】
一方、ステップ５０１で閾値設定部９の閾値Ｖthが最後に更新されたアンテナ切替えからＴ３秒経過したと判定した場合、制御部８は閾値設定部９の閾値Ｖthを初期閾値にリセットした（ステップ５０７）後、マルチパスノイズ成分（ＭＰ量）を閾値設定部９からの閾値Ｖthと比較する（ステップ５０２）。
【００３８】
以上のように、初期閾値より最初に閾値が変更されたアンテナ切替えからＴ２秒、または、閾値が最後に更新されたアンテナ切替えからＴ３秒経過すると、閾値が初期閾値にリセットされるので、マルチパスノイズ量が大きくなって閾値として設定された値が大きくなった場合でも、アンテナが切り替わらなくなるような事態を避けることが可能となる。
【００３９】
図７はアンテナの切替え制御を行った際、閾値をアンテナ切替え前のノイズ量に設定し、切替え後の一定時間Ｔ１の間アンテナ切替えを行わないようにするとともに、初期閾値より最初に閾値が変更されたアンテナ切替えから所定の時間Ｔ２が経過すると、閾値を初期閾値にリセットするようにした場合の、アンテナの切替え状態と閾値の変更状態を示す図である。
【００４０】
図７に示すように、実線で示すマルチパスノイズ量が点線で示す閾値Ｖｔｈの初期閾値を越える（時点ｔ１）と、アンテナANT2からアンテナANT1に切り替えられるとともに、閾値Ｖthがアンテナ切替え前のマルチパスノイズ量に更新される。そして、アンテナ切替最小時間Ｔ１が経過するまでの間（時点ｔ１〜時点ｔ２）は、ノイズ量が閾値Ｖthを越えていてもアンテナの切替えは行われない。
また、最初のアンテナ切替え（時点ｔ１）からＴ２秒経過（時点ｔ５）すると、閾値Ｖthが初期閾値にリセットされる。
【実施例５】
【００４１】
以上の実施例では、フロントエンド２の出力をＡ／Ｄ変換回路３によりデジタル信号に変換して、以降の信号処理をデジタル回路により行ったが、図８に示すように、Ｓメータ回路５の出力をＡ／Ｄ変換回路１１によりデジタル信号に変換し、以降の信号処理回路をデジタル処理回路とすることも可能である。
なお、図８に示すダイバーシティ受信機の動作は、図１に示すダイバーシティ受信機の動作とほぼ同様であるので、説明を省略する。
【実施例６】
【００４２】
また、アンテナの切替え時には、必然的にノイズが発生し、このノイズは後段のノイズキャンセラ手段では取り切れないので、アンテナ切替時にノイズキャンセラ手段により強制的にこのノイズを除去することが好ましく、以下、図９のブロック図により説明する。
この実施例では、図９に示すように、図１のダイバーシティ受信機の中間周波増幅回路の４の後段にノイズキャンセラ回路１２が設けられており、このノイズキャンセラ回路１２に選択信号出力回路１０からノイズキャンセル用トリガ信号が入力される。
【００４３】
図９に示すダイバーシティ受信機において、ノイズキャンセラ回路１２は、定常時には、通常のノイズキャンセルを実行しているが、制御部８からアンテナ切替指令が選択信号出力回路１０に出力され、選択信号出力回路１０がアンテナ切替回路１にアンテナ選択制御信号を出力すると、これと同時に、選択信号出力回路１０からノイズキャンセラ回路１２にノイズキャンセル用トリガ信号が入力されるので、ノイズキャンセラ回路１２はアンテナが切り替えられる間、例えば、アンテナ切替え前後の信号の補間処理等により、強制的にアンテナ切替えによるノイズを除去する。
【００４４】
以上のように、アンテナを切り替えると同時に、ノイズキャンセラ回路にノイズキャンセル用トリガ信号を出力することにより、アンテナ切替えに伴うノイズを確実に除去することが可能となる。
【００４５】
以上の実施例では、本発明のダイバーシティ受信機をデジタル方式のダイバーシティ受信機に適用したが、本発明のダイバーシティ受信機はアナログ方式のダイバーシティ受信機にも適用することが可能である。
また、以上の実施例では、制御部をＣＰＵ、ＲＯＭ、ＲＡＭ等により構成し、ソフトウェアにより制御機能を実行したが、アナログ方式の場合、アナログ式の閾値記憶回路や比較回路等を使用して制御を実行させることが可能である。
【図面の簡単な説明】
【００４６】
【図１】本発明のダイバーシティ受信機の構成を示すブロック図である。
【図２】図１のダイバーシティ受信機の制御部の作用を示すフローチャートである。
【図３】閾値としてアンテナ切替え前のマルチパスノイズ量を補正した値に設定する場合の作用を示すフローチャートである。
【図４】アンテナの切替え制御を行った後、一定時間アンテナ切替えを行わない場合の作用を示すフローチャートである。
【図５】初期閾値より最初に閾値が変更されたアンテナ切替えから所定の時間が経過した場合に、閾値を初期閾値にリセットする場合の作用を示すフローチャートである。
【図６】最後に閾値が更新されたアンテナ切替えから所定の時間が経過した場合に、閾値を初期閾値にリセットする場合の作用を示すフローチャートである。
【図７】アンテナの切替状態と閾値の変更状態を示す図である。
【図８】本発明のダイバーシティ受信機の他の実施例の構成を示すブロック図である。
【図９】本発明のダイバーシティ受信機のさらに他の実施例の構成を示すブロック図である。
【図１０】従来の感度可変方式のダイバーシティ受信機によるアンテナの切替え時の閾値変更状態を示す図である。
【図１１】従来のダイバーシティ受信機の構成を示す図である。
【符号の説明】
【００４７】
１  アンテナ切替回路
２  フロントエンド
３、１１  Ａ／Ｄ変換回路
４  中間周波増幅回路
５  Ｓメータ回路
６  ノイズ検出用フィルタ
７  絶対値回路
８  制御部
９  閾値設定部
１０  選択信号出力回路
１２  ノイズキャンセラ回路
【図１】
2006287845.tif 000003
【図２】
2006287845.tif 000004
【図３】
2006287845.tif 000005
【図４】
2006287845.tif 000006
【図５】
2006287845.tif 000007
【図６】
2006287845.tif 000008
【図７】
2006287845.tif 000009
【図８】
2006287845.tif 000010
【図９】
2006287845.tif 000011
【図１０】
2006287845.tif 000012
【図１１】
2006287845.tif 000013